(57)【特許請求の範囲】
【請求項１】
記憶手段と、演奏手段と、入力手段と、制御手段とを備えたカラオケ装置であって、
記憶手段は、曲番号がそれぞれ付された楽曲データと採点機能データを記憶し、
採点機能データは、採点スクリプトデータと、表示用ファイルと、印刷用ファイルを含み、
演奏手段は、楽曲データの演奏を可能とし、
入力手段は、利用者からの曲番号の入力を受け付け可能とし、
制御手段は、入力された曲番号が楽曲データのものか、採点機能データのものかを判別し、楽曲データの場合は曲番号に対応する楽曲データを演奏手段に演奏させ、採点機能データの場合であって採点モード時でない場合は曲番号に対応する採点機能データを読み込んで採点モードにセットし、
採点モード時は、読み込んだ採点機能データの採点スクリプトにしたがって採点処理を行い、
採点処理は、歌唱音声信号の採点を行い、読み込んだ採点機能データの表示用ファイルを用いて採点結果をレイアウトし表示手段に表示させるとともに、読み込んだ採点機能データの印刷用ファイルを用いて採点結果をレイアウトし印刷手段に印刷させる
カラオケ装置。
【請求項２】
制御手段は、入力された曲番号が採点機能データの場合であって採点モード時の場合には、採点モードをリセットする
請求項１に記載のカラオケ装置。
【発明の詳細な説明】
【０００１】
【発明の属する技術分野】
この発明は、カラオケ装置において各種の情報を利用者が指示に応じて表示し、且つ印刷することができるカラオケ装置に関する。
【０００２】
【従来の技術】
利用者の歌唱をガイドメロディと比較することによって精度の高い採点を行うことができるカラオケ装置が提案されている。このようなカラオケ装置では、曲の演奏が終了したのち、得点とともに歌唱のアドバイスなどが表示される。また、カラオケ曲の演奏の合間にリクエストベスト２０，タウンガイド，新曲情報などのカラオケ装置の利用者に役立つ情報を表示する機能をもったカラオケ装置も実用化されている。
【０００３】
【発明が解決しようとする課題】
このように、カラオケ装置は、単にカラオケ曲を演奏するのみならず、利用者に役立つ情報を種々表示する機能を備えているが、いつどのタイミングでその情報が表示されるかが分からないため利用者が有効に利用することができないという問題点があった。また、利用者の操作で情報を表示できるようにしてもその操作が面倒な場合には、十分な情報の活用が図られないという問題点もあった。
【０００４】
また、従来のカラオケ装置ではこの情報を一定時間モニタに表示するのみで消去し利用者の手元に残すことができなかったため、利用者が十分にこの情報を活用できているとはいえなかった。
【０００５】
また、この表示内容をいわゆるハードコピーでプリントアウトすることも考えられるが、カラオケ装置のモニタはＮＴＳＣのきめの荒い表示器であり、この表示器の表示内容をそのままプリントしたのでは品質の悪い印刷物しかできない欠点があった。
【０００６】
この発明は、利用者の慣れた操作に応じてモニタに各種情報を表示し、且つこの表示した情報を利用者の要求に応じて綺麗に印刷することができるカラオケ装置を提供することを目的とする。
【０００７】
【課題を解決するための手段】
請求項１の発明は、記憶手段と、演奏手段と、入力手段と、制御手段とを備えたカラオケ装置であって、記憶手段は、曲番号がそれぞれ付された楽曲データと採点機能データを記憶し、採点機能データは、採点スクリプトデータと、表示用ファイルと、印刷用ファイルを含み、演奏手段は、楽曲データの演奏を可能とし、入力手段は、利用者からの曲番号の入力を受け付け可能とし、制御手段は、入力された曲番号が楽曲データのものか、採点機能データのものかを判別し、楽曲データの場合は曲番号に対応する楽曲データを演奏手段に演奏させ、採点機能データの場合であって採点モード時でない場合は曲番号に対応する採点機能データを読み込んで採点モードにセットし、採点モード時は、読み込んだ採点機能データの採点スクリプトにしたがって採点処理を行い、採点処理は、歌唱音声信号の採点を行い、読み込んだ採点機能データの表示用ファイルを用いて採点結果をレイアウトし表示手段に表示させるとともに、読み込んだ採点機能データの印刷用ファイルを用いて採点結果をレイアウトし印刷手段に印刷させることを特徴とする。
【０００８】
請求項２の発明では、上記発明において、上記制御手段は、入力された曲番号が採点機能データの場合であって採点モード時の場合には、採点モードをリセットすることを特徴とする。
【０００９】
情報表示データを楽曲データと同形式の曲番号で識別し、楽曲データの選曲操作と同じ操作で指定できるようにしたことにより、利用者が選曲するときと同じ慣れた操作で情報表示データを指定することができ、利用者の役に立つ各種情報を十分に活用することができる。
ここで、各種情報としては、たとえばカラオケ曲の歌唱の採点結果やカラオケ曲の演奏の合間に表示されるリクエストベスト２０，タウンガイド，新曲情報などのカラオケ装置利用者に役立つ情報である。装置は、これらの情報をモニタに表示して利用者に提供するが、利用者がこの情報を手元に残したいとき、その旨を指示すると、この情報の内容を印刷に適した形態で印刷する。
【００１０】
印刷に適した形態とは、たとえば、ＣＲＴモニタに表示される文字や図形は荒いドットのものであるが、印刷する場合は印刷装置の解像度に合わせた精彩な文字や図形に変更すること、モニタがカラーで印刷が白黒の場合には図形の色を塗りつぶしパターンに変更すること、ＣＲＴモニタでスクロールや改ページで表示される内容を１枚の用紙に納まるように再レイアウトすることなどである。このように形態を変更することにより、使用者のために表示装置に表示された情報をより有効に利用者に活用してもらうことができる。
【００１１】
また、同じ情報を表示用に編集した表示用ファイルと印刷用に編集した印刷用ファイルとを別々に記憶することにより、カラオケ装置において情報を編集する必要がなく短い処理時間で印刷をすることができる。
【００１２】
【発明の実施の形態】
図面を参照してこの発明の実施形態であるカラオケ装置について説明する。このカラオケ装置は、カラオケ曲の演奏に合わせてマイクから入力される歌唱音声信号をガイドメロディデータと比較することによって歌唱を採点する採点機能を備えており、採点モードでカラオケ曲を演奏したときは、演奏後に歌唱の得点やアドバイスなどをモニタ６に表示する。また、このカラオケ装置は、カラオケ演奏の合間にタウン情報やリクエストベスト２０などの情報（曲間ＣＭ）を上映する機能を有している。このようにこのカラオケ装置はカラオケ曲の演奏と並行して利用者に有益な種々の情報をモニタ６に表示する。そして、上記採点結果や曲間ＣＭをモニタ６に表示しているとき、利用者からの指示に応じて、この表示内容をプリンタ９でプリントアウトすることができる。これら採点機能や情報プリント機能は、カラオケ曲の演奏を主な機能としているカラオケ装置おいて、カラオケ曲の演奏以外の機能を実行させるためのデータであるＩＣＭデータによって実行される。
【００１３】
図１は採点機能や情報プリント機能を実行可能なカラオケ装置のブロック図である。図２は同カラオケ装置の音声信号処理装置３の機能ブロック図である。図３は同カラオケ装置に付属している赤外線リモコン８の外観図である。図４はカラオケ装置本体１のハードディスク記憶装置１７の一部構成図である。図５は同カラオケ装置本体１のＲＡＭ１２の一部構成図である。
【００１４】
図１において、カラオケ装置は、カラオケ装置本体１，コントロールアンプ２，音声信号処理装置３，ＬＤチェンジャ４，スピーカ５，モニタ６，プリンタ９，マイク７および赤外線のリモコン装置８で構成されている。カラオケ装置本体１はこのカラオケ装置全体の動作を制御する。該カラオケ装置本体１に内蔵されているＣＰＵ１０には、内部バスを介してＲＯＭ１１，ＲＡＭ１２，ハードディスク記憶装置１７，通信制御部１６，リモコン受信部１３，表示パネル１４，パネルスイッチ１５，音源装置１８，音声データ処理部１９，文字表示部２０，表示制御部２１が接続されるとともに、上記外部装置であるコントロールアンプ２，音声信号処理装置３，ＬＤチェンジャ４およびプリンタ９がインタフェースを介して接続されている。
【００１５】
ＲＯＭ１１にはこの装置を起動するために必要な起動プログラムなどが記憶されている。装置の動作を制御するシステムプログラム，アプリケーションプログラムなどはハードディスク記憶装置１７に記憶されている。アプリケーションプログラムはカラオケ演奏プログラムやＩＣＭ実行プログラムなどである。カラオケ装置の電源がオンされると上記起動プログラムによってシステムプログラムやカラオケ演奏プログラムがＲＡＭ１２に読み込まれる。
【００１６】
ＲＡＭ１２には、上記システムプログラム，カラオケ演奏プログラム，ＩＣＭ実行プログラムなどが読み込まれ、カラオケ曲の演奏やＩＣＭ機能などを実行するときＣＰＵ１０がこれを使用する。また、ＲＡＭ１２には図４（Ｂ）に示すように、演奏楽曲データ記憶エリア２２０、実行ＩＣＭデータ記憶エリア２２１および予約リスト２２２などが設定されている。演奏楽曲データ記憶エリア２２０は、利用者が選択したカラオケ曲の楽曲データを読み込むエリアである。実行ＩＣＭデータ記憶エリア２２１は、ＩＣＭ実行プログラムによって実行される採点機能ＩＣＭデータや曲間ＣＭ用ＩＣＭデータなどのＩＣＭデータを読み込むエリアである。また、予約リスト２２２には、利用者がリモコン８を用いて予約したカラオケ曲やＩＣＭデータの曲番号が順番に記憶される。曲番号は４桁の歌手番号＋２桁の歌手別曲番号の６桁で構成されており、全てのカラオケ曲の曲番号の上位４桁はその曲のオリジナル歌手の歌手番号になっている。そして、歌手番号のうち、“８０００”がＩＣＭデータに割り当てられており、ＩＣＭデータもカラオケ曲と同じ構成の６桁の曲番号（たとえば“８０００−１０”など）で識別される。カラオケ曲の曲番号は予約順に記憶されるが、ＩＣＭデータの曲番号が入力された場合には、先に予約されているカラオケ曲の曲番号に優先してこのＩＣＭデータの曲番号が最上位に記憶される。
【００１７】
通信制御部１６はＩＳＤＮ回線を介して配信センタから楽曲データなどをダウンロードしハードディスク記憶装置１７に書き込む。この書込動作はＤＭＡ回路を用いてハードディスク記憶装置１７に直接行われる。ハードディスク記憶装置１７には、図４（Ａ）に示すように、前記システムプログラム，カラオケ演奏プログラム，ＩＣＭ実行プログラムなどを記憶するプログラム記憶エリア２７０、約１万曲の楽曲データを記憶する楽曲データ記憶エリア２７１および複数のＩＣＭデータを記憶するＩＣＭデータ記憶エリア２７２が設定されている。
【００１８】
リモコン８は、図３に示すように、種々のキースイッチを備えており、利用者がこれらのスイッチを操作するとその操作に応じたコード信号が赤外線で出力される。リモコン受信部１３はリモコン装置８から送られてくる赤外線信号を受信して、そのコード信号を復元しＣＰＵ１０に入力する。
【００１９】
図３において、リモコン８は、種々のキー群５１〜５６、赤外線発光部５７およびＬＣＤ表示部５８を備えている。キー群は、Ａキー，Ｂキーを含むテンキー５１，メモリ／セットキー５２，スタートキー５３，転送キー５４，取り消しキー５５，キーコンキー５６からなっている。曲番号をカラオケ装置本体に入力する場合、まずテンキー５１を操作して曲番号を入力すると、入力内容がＬＣＤ表示部５８に表示される。この曲番号の入力が間違っている場合には取り消しキー５５をオンして入力内容を取り消し、最初から入力しなおすことができる。曲番号の入力ののち、メモリ／セットキー５２をオンしてバッファの内容を確定し、転送キー５４をオンするとこの確定した曲番号に対応する赤外線コード信号が赤外線発光部５７から発信され、該曲番号がカラオケ装置本体１に伝達される。このときカラオケ装置本体１は、受信した曲番号を予約リストに登録する。スタートキー５３は、予約リストに登録されているカラオケ曲を利用者の指示を待ってスタートする単曲モード時に使用されるキーであり、このスタートキー５３がオンされたとき先頭に登録されているカラオケ曲の演奏をスタートする。また、前記取り消しキー５５をカラオケ曲の演奏中にオンするとその曲の演奏が中止される。また、キーコンキー５６はシーソー構造になっており、キーの右側が△キー５６ｂ、キーの左側が▽キー５６ａになっている。△キー５６ｂを１回オンすると演奏のキーが半音上昇する。また、▽キー５６ａを１回オンすると演奏のキーが半音低下する。
【００２０】
表示パネル１４はこのカラオケ装置本体１の前面に設けられており、現在演奏中の曲番号や予約曲数を表示するマトリクス表示器や現在設定されているキーやテンポを表示するＬＥＤ群などを含んでいる。パネルスイッチ１５は、前記リモコン装置８と同様の曲番号入力用のテンキーやキーチェンジスイッチ、テンポチェンジスイッチを備えている。
【００２１】
音源装置１８は、楽曲データの楽音トラックのデータに基づいて楽音信号を形成する。楽音トラックは、複数のトラックを有しており、音源装置１８はこのデータに基づいて複数パートの楽音信号を同時に形成する。音声データ処理部１９は、楽曲データに含まれる音声データに基づき、指定された長さ、指定された音高の音声信号を形成する。音声データは、バックコーラスなどの人声など電子的に形成しにくい信号波形をそのままＰＣＭ信号として記憶したものである。前記音源装置１８が形成した楽音信号および音声データ処理部１９が再生した音声信号は、コントロールアンプ２に入力される。コントロールアンプ２には、マイク７が接続されており、カラオケ歌唱者の歌唱音声信号が入力される。コントロールアンプ２はこれらのオーディオ信号に、それぞれエコーなど所定の効果を付与したのち増幅してスピーカ５に出力する。また、コントロールアンプ２は、採点モード時に歌唱音声信号を音声信号処理装置３に入力する。
【００２２】
図２は前記音声信号処理装置３の機能ブロック図である。音声信号処理装置３はＤＳＰを有し、マイクロプログラムに基づくディジタル処理で音声信号を処理するが、この図はその機能をブロック化して表している。音声信号処理装置３は、カラオケ演奏時に楽曲データから読み出されるガイドメロディデータをリファレンス３２として入力する。ガイドメロディデータはＭＩＤＩデータであるが、ＣＰＵ１０はこのＭＩＤＩイベントデータを周波数データおよび音量データに変換して音声信号処理装置３に入力する。また、マイク７から入力された歌唱音声信号をコントロールアンプ２から入力し、要素抽出部３０において、歌唱周波数データ，歌唱音量データの音楽要素を抽出する。この抽出された歌唱周波数データおよび歌唱音量データを比較部３１においてガイドメロディのリファレンス３２と比較することにより、その差分データを割り出す。また、歌唱音量データとガイドメロディの音量データの立ち上がりタイミングのずれに基づいてタイミング差分データを割り出す。この比較処理は１５０ｍｓ毎に実行される。割り出された周波数差分データおよび音量差分データは、ＣＰＵ１０に送信される。ＣＰＵ１０は、カラオケ曲の１フレーズ毎にこの差分データを集計し、フレーズ毎の周波数ポイント，音量ポイント，タイミングポイントを算出する。カラオケ曲演奏が終了したとき、各フレーズ毎に算出されたポイントを集計することによって全曲ポイントを算出する。この全曲ポイントは、周波数，音量，タイミングの３つの要素について別々に算出されるとともに、全ての要素を考慮した総合ポイントも算出される。
【００２３】
文字表示部２０は、ＣＰＵ１０から入力される文字データに基づいて曲名や歌詞、または、採点結果，曲間ＣＭなどの文字パターンを生成する。また、外付装置であるＬＤチェンジャ４は、ＣＰＵ１０から入力された映像選択データに基づいて動画の映像を背景映像として再生する。映像選択データは楽曲データのヘッダに書き込まれているジャンルデータなどに基づいて決定される。表示制御部２１はＬＤチェンジャ４から入力された背景映像に文字表示部２０から入力される歌詞などの文字パターンをスーパーインポーズで合成してモニタ６に表示する。
【００２４】
また、プリンタ９は、モニタ６に表示された内容を用紙にプリントアウトするためのものであり、サーマルプリンタやインクジェットプリンタなどの簡便なものが使用される。
【００２５】
図５（Ａ）、（Ｂ）は、楽曲データおよびＩＣＭデータの構成例を示す図である。
同図（Ａ）は楽曲データの構成を示している。楽曲データは、ヘッダ，楽音トラック，ガイドメロディトラック，歌詞トラック，音声制御トラック，ＤＳＰ制御トラックからなっている。ヘッダは、この楽曲データに関する種々のデータが書き込まれる部分であり、曲名，ジャンル，発売日，曲の演奏時間などのデータを含んでいる。
【００２６】
楽音トラック，ガイドメロディトラック，歌詞トラック，音声制御トラック，ＤＳＰ制御トラックの各トラックは全てＭＩＤＩフォーマットで記述されている。ＭＩＤＩフォーマットは、複数のイベントデータと各イベントデータ間の時間間隔を示すデュレーションデータΔｔからなっている。シーケンスプログラムは、所定のテンポクロックでΔｔをカウントし、Δｔをカウントアップしたときこれに続くイベントデータを読み出して所定の処理部へ出力する。
【００２７】
楽音トラックは、メロディトラック，リズムトラックを初めとして種々のパートのトラックを含んでいる。楽音トラックのイベントデータは楽音の発音や楽音の消音などを指示するノートオンイベントデータやノートオフイベントデータなどで構成されている。
【００２８】
ガイドメロディトラックは、歌唱者が歌唱するメロディ音を発生するためのＭＩＤＩデータで構成されており、採点モード時には、このデータがリファレンスデータとして音声信号処理装置３に入力される。
【００２９】
歌詞トラックは、モニタ６に歌詞を表示するためのシーケンスデータを記憶したトラックである。このシーケンスデータは楽音データではないが、インプリメンテーションの統一をとり、作業工程を容易にするためこのトラックもＭＩＤＩデータ形式のシステム・エクスクルーシブ・メッセージで記述されている。音声制御トラックは、音声データ部に記憶されている音声データの発生タイミングや再生ピッチなどを指定するシーケンストラックである。音声データ部には、音源１８で合成しにくいバックコーラスやハーモニー歌唱などの人声が記憶されている。効果制御トラックには、コントロールアンプ２による効果の付与を制御する効果制御データがデュレーションデータΔｔとともに書き込まれている。
【００３０】
同図（Ｂ）はＩＣＭデータの構成を示す図である。ＩＣＭデータは、上述した採点機能を実現するための採点機能ＩＣＭデータ、カラオケ曲の予約がないときに「リクエストベスト２０」や「タウンガイド」などの曲間ＣＭを上映するための曲間ＣＭ用ＩＣＭデータ、および、上記曲間ＣＭを利用者の選択に応じて上映するための情報選択機能ＩＣＭデータなどがある。ＩＣＭデータも上記楽曲データとほぼ同様の構成になっており、このＩＣＭデータの名称，リリース日などのデータが書き込まれるヘッダ、画面表示や採点機能などを制御するためのスクリプトデータ、および、該スクリプトの実行時に使用される画像データ，テキストデータなどからなっている。上述したように、採点結果や曲間ＣＭはモニタ６に表示されるとともに、利用者の指示に応じてプリンタ９でプリントアウトされるため、画像データおよびテキストデータはモニタ６に表示するために構成されたものとプリンタ９でプリントするために構成されたものが並行して記憶されている。
【００３１】
上記のようにＩＣＭデータも楽曲データとほぼ同様の構成をしているため、楽曲データとともに配信センタからダウンロードしてデータを更新することができる。ＩＣＭデータの更新はデータ全体の書き換えのみならず、一部のスクリプトや画像データ，テキストデータのみの書き換えも可能である。
【００３２】
図６〜図１１のフローチャート、図１２〜図１４のモニタ表示例，プリント例を参照して同カラオケ装置の動作を説明する。
【００３３】
図６は曲予約動作を示すフローチャートである。リモコン装置８から曲番号が入力されると（ｓ１）、この曲番号がＩＣＭデータを指定する曲番号であるかを判断する（ｓ２）。ＩＣＭデータを指定する曲番号の場合には予約リスト１２２の最上位にこれを登録し、現在演奏中のカラオケ曲の次にこれが実行されるようにする（ｓ３）。一方、通常のカラオケ曲の曲番号であった場合には予約リスト１２２の最下位にこれを登録する（ｓ４）。なお、現在カラオケ曲が演奏されていない場合には、この曲番号が入力されたＩＣＭデータまたはカラオケ曲が即座に実行される。
【００３４】
図７は、予約リスト処理動作を示すフローチャートである。この動作は先のカラオケ曲の演奏が終了したとき実行される動作である。まず予約リスト１２２に登録されている曲番号があるか否かを判断する（ｓ７）。登録されている曲番号がない場合には曲間ＣＭ上映処理動作（ｓ８：図１０）を実行する。この曲間ＣＭはＩＣＭデータによって実行されるものであり、リクエストベスト２０，新曲情報，タウンガイド，イベント情報などを表示するものである。
【００３５】
曲番号が予約リスト１２２に予約登録されている場合には、そのうち最上位のものを読み出し（ｓ９）、これがＩＣＭデータを指定する曲番号であるか否かを判断する（ｓ１０）。ＩＣＭデータを指定する曲番号でない場合には通常のカラオケ曲を指定する曲番号であるため、カラオケ演奏処理動作（ｓ１１：図８）を実行する。また読み出された曲番号がＩＣＭデータを指定する曲番号であった場合には、この曲番号が採点機能ＩＣＭデータのものであるか情報表示ＩＣＭデータのものであるかを判断する（ｓ１２）。情報表示ＩＣＭデータの曲番号の場合にはｓ１７に進んで情報表示処理（図１１）を実行する。情報表示ＩＣＭデータは、曲間ＣＭとして表示される情報を利用者が自分の選択で見たいとき指定するＩＣＭデータであり、複数の曲間ＣＭの情報から所望のものを選択して表示する機能を有するものである。また、採点機能ＩＣＭデータを指定する曲番号であった場合には、現在採点モードがセットされているか否かを判断する（ｓ１３）。現在採点モードでない場合には、採点機能ＩＣＭデータをＩＣＭデータ記憶エリア１７２から読み出し（ｓ１４）、必要なスクリプトデータや画像データ，テキストデータをＲＡＭ１２に書き込んで採点モードをセットする（ｓ１５）。こののち次の予約曲の処理に進む。一方、ｓ１３において、既に採点モードがセットされている場合には、採点モードを解除するためにこの曲番号が予約登録されたと判断し、採点モードをリセットして（ｓ１６）次の予約曲の処理に進む。
【００３６】
図８はカラオケ演奏処理動作を示すフローチャートである。上記予約リスト処理動作（図７）においてカラオケ曲の楽曲データを指定する曲番号が読み出され、動作がこの処理動作に進むと、まず、指定された曲番号の楽曲データをハードディスク記憶装置１７の楽曲データ記憶エリア１７１からＲＡＭ１２の演奏楽曲データ記憶エリア１２０に読み出し（ｓ２０）、この楽曲データのヘッダに含まれるジャンルデータに基づいて背景映像を選択してＬＤチェンジャ４に通知する（ｓ２１）。これにより、ＬＤチェンジャ４は所定の背景映像を再生して表示制御部２１に入力する。こののち、各トラックのデータをクロックに従って並行して読み出し（ｓ２２）、読み出されたイベントデータを対応する処理部（音源１８，文字表示部２０，音声データ処理部１９，コントロールアンプ２など）に出力する（ｓ２３）。そして、現在採点モードがセットされているか否かを判断し（ｓ２４）、セットされていない場合には曲が終了するまで上記ｓ２２，ｓ２３の動作を繰り返し実行する。採点モードの場合にはガイドメロディトラックから読み出したデータをリファレンスデータとして音声信号処理装置３に出力する（ｓ２５）。そして、このリファレンスデータに基づいて割り出された歌唱音声信号の周波数、音量、タイミングの差分データを音声処理処理装置３から受信し（ｓ２６）。このデータをＲＡＭ２２の差分データ記憶エリアに記憶する（ｓ２７）。採点モードの場合には上記ｓ２２〜ｓ２７の動作を曲が終了するまで繰り返し実行する（ｓ２８）。
【００３７】
図９は採点モード時における前記音声信号処理装置３の動作を示すフローチャートである。音声信号処理装置はＤＳＰを内蔵しており、マイクロプログラムによる動作で入力された歌唱音声信号とガイドメロディデータであるリファレンスデータとの周波数差，音量差，タイミング差を割り出す。まずＣＰＵ１０からガイドメロディデータをリファレンスデータとして入力する（ｓ４０）。そしてコントロールアンプ２から歌唱音声信号を入力する（ｓ４１）。そしてこの歌唱音声信号から周波数および音量の要素を抽出し（ｓ４２）、リファレンスデータと比較することによって周波数差分データ，音量差分データを算出する（ｓ４３）。そして、音量の変化タイミングの時間差に基づいてタイミング差分データを割り出す（ｓ４４）。これらの差分データをカラオケ装置本体１のＣＰＵ１０に送信する（ｓ４５）。以上の動作をカラオケ曲が終了するまで、１５０ｍｓ毎に繰り返し実行する（ｓ４６）。
【００３８】
図８において、曲が終了すると、現在採点モードであるか否かを判断する（ｓ２９）。採点モードでない場合にはカラオケ演奏処理動作を終了し、図７の予約リスト処理動作に移行する。採点モードの場合には全曲の差分データを集計して、周波数，音量，タイミング毎に得点を算出し、さらに、総合得点を算出する（ｓ３０）。そして、この歌唱に対するアドバイス文言をＩＣＭデータのテキストデータ群から読み出し、図１２（Ａ）に示すように、音程（周波数）、音量、リズム感（タイミング）および総合の各得点およびアドバイス文言をモニタ６に表示する（ｓ３１）。そして、この表示画面でこの内容をプリントするか否かの選択を受け付け（ｓ３２）、プリントする旨が入力された場合には、図１２（Ｂ）に示すように、音程，音量，リズム感，総合の各得点とともに、このカラオケ曲の全曲の歌詞に対して矢印でフレーズを指定したアドバイス文言が印刷されたものをプリントアウトする（ｓ３４）。この採点結果の印刷物には、カラオケ曲の歌詞の該当箇所を指示してアドバイスが印刷されているため、曲のどの箇所をどの様に直せばよいのかがよくわかり今後の歌唱の参考になる。ｓ３２でプリントしない旨が選択された場合には、そのままこの動作を終了する。
【００３９】
図１０は曲間ＣＭ上映動作を示すフローチャートである。カラオケ曲の演奏が終了したとき、次の曲番号が予約リスト１２２に登録されていない場合に、図７のｓ７によってこの動作が実行される。複数の「リクエストベスト２０」，「新曲紹介」，「タウンガイド」，「イベント情報」などの曲間ＣＭ用ＩＣＭデータのなかからＣＭ上映のスケジュールに従って１つを選択し、そのＩＣＭデータをハードディスク記憶装置１７のＩＣＭデータ記憶エリア１７２からＲＡＭ１２の実行ＩＣＭデータ記憶エリア１２１に読み出す（ｓ５０）。そして、このデータに基づいて構成された表示用情報をモニタ６に表示する（ｓ５１）。そして、この表示画面においてこの内容をプリントするか否かの選択を受け付け（ｓ５２）、プリントする旨が入力された場合には、この表示用データと同じ内容で印刷用に編集されているプリント用データを用いてプリントする（ｓ５３）。
【００４０】
「リクエストベスト２０」のモニタ７の表示例および印刷例を図１３（Ａ）および同図（Ｂ）に示す。同図（Ａ）はモニタ６への表示例である。モニタ６には一度に６〜７曲分しか表示できないため、ベスト２０のリストをスクロールさせて２０曲全部を順次表示する。一方、同図（Ｂ）の印刷例では１０曲ずつ２列に配置して１枚の用紙にベスト２０曲を全部印刷している。このようにモニタ６およびＡ４程度の大きさの用紙の特性をそれぞれ生かしたレイアウトで表示および印刷を行うため、モニタ６の表示においても用紙へのプリントにおいても見やすいものになっている。
【００４１】
図１１は情報表示処理動作を示すフローチャートである。まず、図１４に示す情報選択画面を表示する（ｓ６０）。この画面をみながら利用者は所望の情報を選択する（ｓ６１）。所望の情報が選択されると、この情報を表示するための曲間ＣＭ用ＩＣＭデータを読み出し（ｓ６２）、上記曲間ＣＭのときと同じように内容をモニタ６に表示する（ｓ６３）。そして、この表示画面においてこの内容をプリントするか否かの選択を受け付け（ｓ６４）、プリントする旨が入力された場合には、この表示用データと同じ内容で印刷用に編集されているプリント用データを用いてプリントする（ｓ６５）。プリントしない旨が選択された場合にはこのまま動作を終了する。
【００４２】
上記実施形態において、プリントする内容はカラオケ歌唱の採点結果や曲間ＣＭとして上映される情報の内容であったが、この発明はこれに限定されるものではない。たとえば、公共交通機関の時刻表と最寄りの駅、利用者のポイント数による特典、上手な歌の歌い方や練習方法に関する一般的なアドバイスなどを表示・プリントできるようにしてもよい。
【００４３】
また、上記ＩＣＭデータは配信センタから各カラオケ装置に配信されるようになっているが、カラオケ装置を設置している店舗でローカルに独自の情報を書き込んだＩＣＭデータを記憶するようにしてもよい。
【００４４】
【発明の効果】
以上のようにこの発明によれば、利用者がカラオケ曲を選曲する操作と同じ操作で各種の情報を選択指定することができるため、利用者の役に立つ各種の情報を十分に活用することが可能になる。
【００４５】
また、カラオケ曲の演奏と並行して表示される情報が、利用者の選択により、印刷に適した形態で印刷されるため、利用者はこの情報を手元に残すことができ、モニタに表示するのみの場合に比べて、より有効に情報を活用することができる。さらに、表示用ファイルと印刷用ファイルとを別々に記憶しておくことにより、カラオケ装置における処理が不要になるため、短時間で美しい印刷物を印刷することができる。
【図面の簡単な説明】
【図１】この発明の実施形態であるカラオケ装置のブロック図
【図２】同カラオケ装置の音声信号処理装置の構成図
【図３】同カラオケ装置に付属するリモコン装置の外観図
【図４】同カラオケ装置のハードディスク記憶装置，ＲＡＭの構成図
【図５】同カラオケ装置の楽曲データ，ＩＣＭデータの構成図
【図６】同カラオケ装置の曲番号の予約登録時の動作を示すフローチャート
【図７】予約リスト処理動作を示すフローチャート
【図８】カラオケ演奏処理動作を示すフローチャート
【図９】前記音声信号処理装置の採点動作を示すフローチャート
【図１０】曲間ＣＭ上映動作を示すフローチャート
【図１１】情報表示動作を示すフローチャート
【図１２】採点結果の表示および印刷例を示す図
【図１３】曲間ＣＭの表示および印刷例を示す図
【図１４】情報選択画面の例を示す図
【符号の説明】
１…カラオケ装置本体、３…音声信号処理装置、６…モニタ、９…プリンタ、
１７…ハードディスク記憶装置、１７２…ＩＣＭデータ記憶エリア
【図１】
0003633547.tif 000002
【図２】
0003633547.tif 000003
【図３】
0003633547.tif 000004
【図４】
0003633547.tif 000005
【図５】
0003633547.tif 000006
【図６】
0003633547.tif 000007
【図７】
0003633547.tif 000008
【図８】
0003633547.tif 000009
【図９】
0003633547.tif 000010
【図１０】
0003633547.tif 000011
【図１１】
0003633547.tif 000012
【図１２】
0003633547.tif 000013
【図１３】
0003633547.tif 000014
【図１４】
0003633547.tif 000015